(57)【要約】【課題】  付け毛を付ける熟練者の特別の技能を要さなくても付け毛と自毛との確実な結合を保証するアプリケータを提供すること。【解決手段】  毛髪（１０）の末端がＵ形の熱可塑性部材（９）に埋め込まれた代用房毛（８）のアプリケータ（１）であって、Ｕ形部材（９）を受け入れるための少なくとも１つの切欠き部（６）を有する母型（２）と、該母型（２）の切欠き部（６）まで移動式に案内されるプランジャ（３）とを備えているアプリケータである。  母型（２）の切欠き部（６）には、該切欠き部（６）の形状に対応する代用房毛（８）用の並置された複数個の取込み口（１５）を備えたマガジン（１４）を押し込むことができる、プランジャ（３）の移動方向に対して横向きに延在する溝（１３）が貫通している。【選択図】        図５
2004332194.tif 000002
【特許請求の範囲】
【請求項１】
毛髪（１０）の末端がＵ形の熱可塑性部材（９）に埋め込まれた代用房毛（８）のアプリケータ（１）であって、前記Ｕ形部材（９）を受け入れるための少なくとも１つの切欠き部（６）を有する母型（２）と、該母型（２）の前記切欠き部（６）まで移動式に案内されるプランジャ（３）とを特徴とする代用房毛用アプリケータ。
【請求項２】
前記切欠き部（６）と前記プランジャ（３）とは場合によっては異なる輪郭（７ａ、７ｂ）を有し、前記プランジャ（３）は前記切欠き部（６）に完全に挿入されるとほぼ角柱様の空きスペースを画成することを特徴とする請求項１に記載のアプリケータ。
【請求項３】
前記切欠き部（６）と前記プランジャ（３）とは該プランジャ（３）の移動方向にもこれに対する横方向にも凹面湾曲部を備えたほぼ鏡面状の輪郭（７ａ、７ｂ）を備えていることを特徴とする請求項１に記載のアプリケータ。
【請求項４】
前記プランジャ（３）の移動方向に対して横方向に延在する前記凹面湾曲部は縁部に前記プランジャの移動方向に対してほぼ垂直に延在する部分を備えていることを特徴とする請求項３に記載のアプリケータ。
【請求項５】
前記母型（２）は長い脚部（４）と短い脚部（５）とからなるほぼ鉤状の形状を備え、前記切欠き部（６）は前記短い脚部（５）内にあるとともに、前記プランジャ（３）は前記長い脚部（４）の前記短い脚部（５）向きの側に沿って案内されることを特徴とする請求項１から４のいずれかの項に記載のアプリケータ。
【請求項６】
前記プランジャ（３）と前記母型（２）とは操作／加熱装置（１２）に挿入可能であることを特徴とする請求項１から５のいずれかの項に記載のアプリケータ。
【請求項７】
前記母型（２）の前記切欠き部（６）には、該切欠き部（６）の形状に対応する代用房毛（８）用の並置された複数個の取込み口（１５）を備えたマガジン（１４）を押し込むことができる、前記プランジャ（３）の移動方向に対して横向きに延在する溝（１３）が貫通していることを特徴とする請求項１から６のいずれかの項に記載のアプリケータ。
【請求項８】
前記操作／加熱装置（１２）は前記マガジン（１４）用の段階的送り装置を備えていることを特徴とする請求項６または７に記載のアプリケータ。
【請求項９】
前記母型（２）は少なくとももう１つの同様の切欠き部（６）を設けているとともに、全ての切欠き部は前記取込み口（１５）に対応する間隔で並設され、前記プランジャ（３）は前記切欠き部（６）の数に対応する数のプランジャフィンガを備えていることを特徴とする請求項７または８に記載のアプリケータ。
【発明の詳細な説明】
【技術分野】
【０００１】
本発明は、毛髪の末端がＵ形の熱可塑性部材に埋め込まれた代用房毛のアプリケータに関する。
【背景技術】
【０００２】
代用房毛は従来、Ｕ形またはＶ形の熱可塑性部材によって纏められ、Ｕ形の場合は、両脚部を繋ぐ橋絡部（ｓｔｅｇ）は真直でも湾曲していてもよい。人の頭に取り付ける際には自毛がＵ形またはＶ形の両脚部の間に挟まれ、その後で、熱可塑性プラスチックが軟らかくなるか、溶けるまで部材が超音波または加熱用ピンセットを用いて加熱される。この融着を完了するため通常は、自毛または付け毛を接着体に良好に埋め込むために、接着領域は冷却開始前に指の間に巻き込まれ、または畳み込まれる。しかしこの方法は、理容師の手先の器用さに大きく左右され、融着が不完全である場合がよくあるので、代用房毛は自毛を何回かとかした後にはがれてしまう。
【発明の開示】
【発明が解決しようとする課題】
【０００３】
したがって本発明の目的は、付け毛を付ける熟練者の特別の技能を要さなくても付け毛と自毛との確実な結合を保証するアプリケータにある。
【課題を解決するための手段】
【０００４】
上記の目的は、Ｕ形部材を受け入れるための少なくとも１つの切欠き部を有する母型と、該母型の切欠き部まで移動式に案内されるプランジャとを特徴とするアプリケータによって達成される。
【０００５】
プランジャと母型とからなるアプリケータによって、Ｕ形部材は最終的には、付け毛も自毛も末端が完全に埋め込まれたコンパクトな細長い立体の形態になるように変形される。自毛をＵ形部材内に挿入する際、アプリケータは、Ｕ形部材が母型の切欠き部内に位置するようにして自毛上に被せられる。その後、プランジャが母型内に押し込まれることによって、（加熱により、または加熱なしで）部材の可塑性変形およびコンパクト化がなされる。勿論、その際にプランジャと母型との相対移動だけが重要である。すなわち、同様に母型をプランジャに押し付けることもできる。
【０００６】
切欠き部とプランジャが場合によっては異なる輪郭を備え、プランジャが切り欠部に完全に挿入されると、ほぼ角柱様の空きスペースを郭成することが好適である。その場合、代用房毛を自毛に取り付けた後、熱可塑性の結合体はほぼ角柱様の形状を有する。
【０００７】
プランジャと切欠き部の底部の輪郭が真直もしくは平坦である場合は、熱可塑性の結合体は四角柱の形状になる。これに対して輪郭が湾曲している場合は、断面が円形または楕円形の円筒形の形状になる。プランジャと切欠き部の底部の輪郭は、例えば一方は真直で、他方は湾曲しているなど、互いに異なっていてもよい。ちなみに一方の輪郭、または双方の輪郭を波形またはジグザグ形に形成すると好適であることが判明している。輪郭の選択にとって第一に決定的であるのは、希望の髪形を考慮した結合体の所望の（最終的には局外者には見えない）外見である。
【０００８】
切欠き部とプランジャとが、プランジャの移動方向にもこれに対して横向きにも凹面湾曲部を備えたほぼ鏡面状の輪郭を有することが有利であることがわかっている。その場合、付け毛と自毛との間の熱可塑性結合体は基本的に、断面が円形または楕円形の胴が張った円筒形の形状を有する。この形状によってもともとはＵ形の部材は中央部よりも端部で大きく絞られ形変し、それによって融着およびプレス工程で、ほぼ角柱形、もしくは円筒形の融着結合体の場合よりも、毛髪が熱可塑材によってより強く被覆される。その際に、プランジャの移動方向に対して横向きに延在する凹面湾曲部がその縁部に、前記プランジャの移動方向に対してほぼ垂直に延在する部分を備えていることが好適であると判明している。このような輪郭形成によって、完成した接着体は付け毛もしくは自毛の末端を縦方向に被い、中央部には膨らんで厚い部分を有するようになる。したがって、このような結合の形態は、通常通りに透明な熱可塑材を使用すれば、注意深く観察してもほとんど気付かれない。
【０００９】
アプリケータの特に簡単で、したがって有利な実施形態は、母型が長い脚部と短い脚部とからなるほぼ鉤状の形状を備え、切欠き部は短い脚部内にあり、プランジャが長い脚部の短い脚部向きの側に沿って案内されることにある。
【００１０】
最後に、プランジャと母型とが操作および加熱装置に挿入可能であることが好適であり、それによって従来の関連（汎用）工具を使用することができる。
【００１１】
代用房毛を人の頭に実質的に自動的に、したがって迅速に取り付けることを保証するため、母型の切欠き部には、該切欠き部の形状に対応する付け毛用の並置された複数個の取込み口を備えたマガジンを押し込むことができる、プランジャの移動方向に対して横向きに延在する溝が貫通していることが有利である。
【００１２】
この実施形態では、代用房毛をそのＵ形部材で取込み口に差し込むことによって、マガジンに複数の代用房毛を充填することができる。そこで、マガジンを連続的に押し込むことによって、各々の取込み口は母型の切欠き部と面一の位置になり、その位置でプランジャの挿入時にそれぞれの代用房毛と、前もって挿入してある自毛との結合が行われる。その場合、それぞれの取込み口は同様に全部または、一部が切欠き部の機能を担う。すなわち、Ｕ形の熱可塑性部材の可塑性変形は全部または、一部が取込み口内で直接行われる。したがって、操作および加熱装置がマガジン用の段階的送り装置を備えていれば、本発明と好適に適合する。
【００１３】
一実施形態では、母型が少なくとももう１つの同様の切欠き部を設けており、全ての切欠き部は取込み口に対応する間隔で並設され、プランジャは切欠き部の数に対応する数のプランジャフィンガを備えている。それによって、本発明による装置のキャパシティが明らかに高まり、取り扱い易くなる。
【発明を実施するための最良の形態】
【００１４】
次に本発明を図面で示した実施形態についてより詳細に説明する。
【００１５】
本発明によるアプリケータ１（図１、２）は母型２とプランジャ３とからなっている。母型は長い脚部４と短い脚部５とからなるほぼ鉤の形状を有している。短い脚部５には溝形の切欠き部６が設けてある。プランジャ３は長い脚部４の短い脚部５向きの側に沿って案内される。プランジャ３と溝形の切欠き部６の底部とは任意の輪郭７ａ、７ｂを備えることができる。図１に図示した場合では、プランジャ３の輪郭７ａは湾曲している。これに対して、切欠き部６の底部の輪郭７ｂは平坦である。これに対して、図２では双方の輪郭７ａ、７ｂとも湾曲している。
【００１６】
代用房毛８は付け毛１０の末端が埋め込まれたＵ形の熱可塑性部材９を備えている。その際に、Ｕ形は双方の脚部を繋ぐ湾曲した橋絡部を設けていることが示されている。しかし真直の橋絡部にしてもよい。代用房毛８を自分の房毛１１に装着するため、自分の房毛１１の端部がＵ形部材９内に挿入され、その後で母型２の切欠き部６が部材９に被せられ、プランジャ３が母型の切欠き部６内に押し込まれる。その際に、アプリケータを加熱して、または加熱せずに、部材９が可塑性変形され、それによって付け毛１０と自毛１１との融着がなされる。プランジャ３と母型２とからなるアプリケータは好適な態様で、対応する操作／過熱装置１２（図５）内に嵌め込むことができる。
【００１７】
図３および４に示されている本発明の実施形態においては、母型２の切欠き部６とプランジャ３とが、プランジャの移動方向（矢印を参照）もしくはプランジャ３と母型２の相対移動方向にも、これに対する横方向にも、凹面に湾曲したほぼ鏡面状の輪郭７ａもしくは７ｂを備えている。その際に、横向きに延在する凹面湾曲部は、その側縁部が、移動方向に対してほぼ垂直のセグメント７ｃへと移行している。圧着工程の後で完成する付け毛１０（図１、２）と自毛１１（図２）との結合体は、外見に関しても融着の質に関しても特に実証されている胴が張ったほぼ円筒形の形状を有している。
【００１８】
図５に示され、操作および過熱装置１２内に差し込まれるアプリケータ１の実施形態の場合は、母型２の切欠き部６にはプランジャ３の移動方向に対して横向きに延在する溝１３が貫通している。この溝１３内には、切欠き部６の形状に対応する並置された複数（例えば１０個）の取込み口１５を備えたマガジン１４を押し込むことができる。この取込み口１５には、代用房毛８がそのＵ形部材９で挿入される。操作および過熱装置１２は段階的送り装置（図示せず）を備えることができる。
【００１９】
図３に示したアプリケータを使用する場合、まずマガジン１４に付け毛房８が装着され、その後で溝１３内に嵌め込まれる。マガジンを連続的に押し込むことによって、取込み口１５は挿入された部材９と共に切欠き部６内に到達し、同時にその機能の全部または一部を引き継ぐ。この位置で、自毛の房は部材９の開かれたＵ形に挿入された後、プランジャ３または母型２が操作されることで、互いに相対移動し、付け毛と自毛とが融着される。熱可塑性の角柱形または円筒形結合体を母型２の切欠き部６もしくはマガジン１４のそれぞれの取込み口１５から取り出した後、マガジン１４は取込み口１５の１つ分だけ押し込まれ、それによって次の融着を行うことが可能になる。
【００２０】
図６は、どれも取込み口に対応する間隔で並置された複数個の切欠き部が母型に設けられ、プランジャも切欠き部の数に対応する数のプランジャフィンガを備えている、本発明によるアプリケータの変形形態を示している。これらのプランジャフィンガは切欠き部の形状と形状が一致しているので、複数の房の同時融着がなされる。その際、マガジンの送り移動量は勿論、切欠き部の数に適応している。
【図面の簡単な説明】
【００２１】
【図１】本発明によるアプリケータの開いた状態での斜めから見た概略斜視図である。
【図２】同じアプリケータの閉じた状態の図である。
【図３】本発明の変化形の、図１の部分図である。
【図４】図３のＩＶ−ＩＶ線に沿った断面図である。
【図５】操作／加熱装置を含めた本発明によるアプリケータの別の実施形態の斜めから見た概略斜視図である。
【図６】本発明によるアプリケータの更に別の変化形態を示す図である。
【符号の説明】
【００２２】
１  アプリケータ
２  母型
３  プランジャ
４  長い脚部
５  短い脚部
６  切欠き部
７ａ、７ｂ  輪郭
８  代用房毛
９  Ｕ形の熱可塑性部材
１０  毛髪
１２  操作／加熱装置
１３  溝
１４  マガジン
１５  取込み口
【図１】
2004332194.tif 000003
【図２】
2004332194.tif 000004
【図３】
2004332194.tif 000005
【図４】
2004332194.tif 000006
【図５】
2004332194.tif 000007
【図６】
2004332194.tif 000008